(57)【要約】【課題】光ピックアップのフレキシブルフラットケーブルが、トラバースシャーシ裏面の取付け面に取付けられた直角の折り畳み部分の直前部分で断線しないように改良した光ディスク装置を提供する。【解決手段】光ピックアップ４から後方へ延びるフレキシブルフラットケーブル６をトラバースシャーシ２の裏側へ引き回して途中で該ケーブル６が直角に曲がるように折り畳み、該ケーブルの折り畳み部分６ａ及びその近傍部分をトラバースシャーシ裏側の取付け面２０ａに取付けた光ディスク装置において、トラバースシャーシ裏側の上記取付け面２０ａを、後端から前方に向かって徐々に低くなる傾斜面に形成する。該ケーブル６の折り畳み部分６ａの直前部分の曲率を、傾斜面とされた取付け面２０ａによって大きくし、曲げ応力の集中を緩和して断線を防止する。【選択図】図３
2009080907.tif 000002
【特許請求の範囲】
【請求項１】
トラバースシャーシの前端部にターンテーブルを設け、トラバースシャーシのターンテーブルより後側に光ピックアップを前後移動可能に搭載すると共に、光ピックアップから後方へ延びるフレキシブルフラットケーブルをトラバースシャーシの裏側へ引き回して途中で該ケーブルが直角に曲がるように折り畳み、該ケーブルの途中の折り畳み部分及びその近傍部分をトラバースシャーシ裏側の取付け面に取付けた光ディスク装置において、
トラバースシャーシ裏側の上記取付け面が、後端から前方に向かって徐々に低くなる傾斜面に形成されていることを特徴とする光ディスク装置。
【請求項２】
上記取付け面が、後端から前方に向かって徐々に肉盛りして傾斜面に形成されている請求項１に記載の光ディスク装置。
【請求項３】
傾斜面に形成された上記取付け面の勾配が１／１０以上、２／１０以下である請求項１又は請求項２に記載の光ディスク装置。
【請求項４】
上記フレキシブルフラットケーブルの折り畳み部分とその近傍部分が上記取付け面に重ねられ、近傍部分のみが取付け面に貼着されている請求項１ないし請求項３のいずれかに記載の光ディスク装置。
【請求項５】
上記フレキシブルフラットケーブルの上記近傍部分が鉤形に貼着されている請求項４に記載の光ディスク装置。
【発明の詳細な説明】
【技術分野】
【０００１】
本発明は、ＤＶＤ、ＣＤなどの光ディスク装置に関し、特に、光ピックアップのフレキシブルフラットケーブルが断線しないように改良した光ディスク装置に関する。
【背景技術】
【０００２】
図５は従来の光ディスク装置の概略部分底面図、図６は従来のターンテーブルと光ピックアップを搭載したトラバースシャーシの概略断面図、図７の（ａ）は裏返した従来のトラバースシャーシのフレキシブルフラットケーブル取付け部分の斜視図、図７の（ｂ）はそのＡ−Ａ線部分断面図である。
【０００３】
従来の光ディスク装置は、図５〜図７に示すように、トラバースシャーシ２の前端部に、スピンドルモータＭで回転するターンテーブル３を設け、トラバースシャーシ２のターンテーブル３より後側に光ピックアップ４を２本のガイド軸５に沿って前後移動可能に搭載している。そして、光ピックアップ４から後方へ延びるフレキシブルフラットケーブル６をトラバースシャーシ２の裏側へ引き回して途中で該ケーブル６が直角に曲がるように折り畳み、該ケーブル６の折り畳み部分６ａ及びその近傍部分６ｂをトラバースシャーシ裏側の水平な取付け面２ａに取付けて、該ケーブル６の先端部をメインシャーシ１の側方へ引き出し、メイン配線基板（不図示）に接続している。
【０００４】
一方、フレキシブル配線板をヘッド装置の上面から引き出すと共に、フレキシブル配線板が引き出されるヘッド装置の上面の角にテーパー部を形成し、そのテーパー部に沿ってヘッド装置の上面から斜め下方に向けてフレキシブル配線板をヘッド装置から引き出すようにした、ヘッド装置のフレキシブル配線板接続方式が提案されている（特許文献１）。
【０００５】
また、回転テーブルの駆動用小型モータ及び電子部品を搭載し、その回転制御回路の導体パターンが表面上に印刷された金属芯印刷回路板と、その金属芯印刷回路板の端縁寄りに形成された印刷配線のターミナルパッド列に一端の被覆剥き出し端子列が接続固定され、他端が金属芯印刷回路板を載せて昇降する昇降部材の裏側へ撓曲状に引き回されて機体固定部材に接続されたフラットケーブルとを備えた回転テーブル駆動装置において、前記金属芯印刷回路板の表面のうち前記ターミナルパッド列より内方領域に接着された両面接着テープを有し、前記フラットケーブルの一端側が反り返し褶曲させて前記両面接着テープに接着され、前記被覆剥き出し端子列が前記金属芯印刷回路板の外方向きで前記ターミナルパッド列に固着されてなる回転テーブル駆動装置も提案されている（特許文献２）。
【特許文献１】特開２０００−２５１４２１号公報
【特許文献２】特開平１０−２７４６０号公報
【発明の開示】
【発明が解決しようとする課題】
【０００６】
しかしながら、図５〜図７に示す従来の光ディスク装置のように、フレキシブルフラットケーブル６の折り畳み部分６ａを取付けるトラバースシャーシ裏側の取付け面２ａが勾配のない水平面に形成されていると、図６に仮想線で示すように光ピックアップ４が前方（ターンテーブル側）に移動したとき、フレキシブルフラットケーブル６が剛性のある折り畳み部分６ａの直前部分６ｃにおいて大きい曲率で鋭く曲がり、直前部分６ｃに大きい曲げ応力が集中するため、光ピックアップ４の前後移動に伴って大きい曲げ応力がフレキシブルフラットケーブル６の直前部分６ｃに繰り返し作用し、直前部分６ｃで断線する恐れがあった。
【０００７】
これに対し、特許文献１のフレキシブル配線板接続方式は、フレキシブル配線板６の折り返しループが被覆板の裏面に接触し難くなるように、ヘッド装置の上面の角に形成されたテーパー部に沿ってフレキシブル配線板を斜め下方へ引き出すものであるから、このような技術を適用しても上記の問題を解決することはできない。
【０００８】
また、特許文献２の回転テーブル駆動装置も、フラットケーブルの褶曲部によるスプリングバックでフラットケーブルを金属芯印刷回路板から離れる方向に弾力付勢し、フラットケーブルが回路板の鋭利な端縁との接触により断線するのを防止するものであるから、このような技術を適用しても上記の問題を解決することはできない。
【０００９】
本発明は上記事情の下になされたもので、その解決しようとする課題は、光ピックアップのフレキシブルフラットケーブルがその直角の折り畳み部分の直前部分で断線しないように改良した光ディスク装置を提供することにある。
【課題を解決するための手段】
【００１０】
上記課題を解決するため、本発明に係る光ディスク装置は、トラバースシャーシの前端部にターンテーブルを設け、トラバースシャーシのターンテーブルより後側に光ピックアップを前後移動可能に搭載すると共に、光ピックアップから後方へ延びるフレキシブルフラットケーブルをトラバースシャーシの裏側へ引き回して途中で該ケーブルが直角に曲がるように折り畳み、該ケーブルの途中の折り畳み部分及びその近傍部分をトラバースシャーシ裏側の取付け面に取付けた光ディスク装置において、トラバースシャーシ裏側の上記取付け面が、後端から前方に向かって徐々に低くなる傾斜面に形成されていることを特徴とするものである。
【００１１】
本発明の光ディスク装置においては、トラバースシャーシ裏側の上記取付け面が、後端から前方に向かって徐々に肉盛りして傾斜面に形成されていることが好ましく、この傾斜面に形成された取付け面の勾配は１／１０以上、２／１０以下であることが好ましい。
【００１２】
また、上記フレキシブルフラットケーブルの折り畳み部分とその近傍部分がトラバースシャーシ裏側の上記取付け面に重ねられ、近傍部分のみが取付け面に貼着されていることが好ましく、特に、この近傍部分が鉤形に貼着されていることが好ましい。
【発明の効果】
【００１３】
本発明の光ディスク装置のように、トラバースシャーシ裏側の取付け面が後端から前方に向かって徐々に低くなる傾斜面に形成されていると、光ピックアップが前方へ移動したときに、フレキシブルフラットケーブルの折り畳み部分の直前部分の曲率が、傾斜した取付け面の勾配に応じて小さくなり、直前部分が鋭く曲がらなくなるので、直前部分への曲げ応力の集中が緩和されることになる。従って、光ピックアップ４の前後移動に伴ってフレキシブルフラットケーブルの直前部分に大きい曲げ応力が繰り返し集中することはなくなるので、フレキシブルフラットケーブルが折り畳み部分の直前部分で断線する恐れを解消することができる。
【００１４】
トラバースシャーシ裏側の取付け面は、後端から前方に向かって徐々に肉盛りして傾斜面に形成してもよいし、逆に、前方から後端に向かって徐々に肉を削って傾斜面に形成してもよいが、後者のように肉を削って傾斜面を形成する場合は、取付け面の後端の高さが上昇する分だけ、取付け面の後端と光ピックアップのフレキシブルフラットケーブル接続部分との上下間隔が小さくなり、フレキシブルフラットケーブルの撓み量が増して、フレキシブルフラットケーブルの取付け部分の負荷が増大することになるので、前者のように肉盛りして傾斜面を形成することが好ましい。
【００１５】
取付け面の勾配は１／１０以上、２／１０以下であることが好ましく、この程度の勾配であれば、フレキシブルフラットケーブルの折り畳み部分の直前部分の曲率が適度な大きさとなり、曲げ応力の集中を緩和することができる。
【００１６】
また、フレキシブルフラットケーブルの折り畳み部分とその近傍部分がトラバースシャーシ裏側の取付け面に重ねられ、近傍部分のみが取付け面に貼着されている光ディスク装置は、貼着されていない折り畳み部分の自由度が大きく、この折り畳み部分でフレキシブルフラットケーブルの前方への突っ張りを吸収して、貼着された近傍部分への負荷を軽減することができ、特に、この近傍部分が鉤形に貼着されていると、近傍部分もある程度の自由度を有するため、負荷を一層軽減できるようになる。
【発明を実施するための最良の形態】
【００１７】
以下、図面を参照して本発明の具体的な実施形態を詳述する。
【００１８】
図１は本発明の一実施形態に係る光ディスク装置をディスクトレイを省略して示す平面図、図２は同光ディスク装置の概略底面図、図３は同光ディスク装置の光ピックアップとターンテーブルを搭載したトラバースシャーシの概略断面図、図４の（ａ）は裏返したトラバースシャーシのフレキシブルフラットケーブル取付け部分の斜視図、図４の（ｂ）はそのＢ−Ｂ線部分断面図である。
【００１９】
この光ディスク装置は、図１に示すように、合成樹脂製のメインシャーシ１の内側に、合成樹脂製のトラバースシャーシ２が、その後端両側部において取付ネジ７ａとゴムダンパー７ｂを用いて上下揺動可能に取付けられており、図１，図３に示すように、トラバースシャーシ２の前端部にはスピンドルモータＭによって回転するターンテーブル３が、また、トラバースシャーシ２のターンテーブル３より後側には光ピックアップ４が、それぞれ搭載されている。
【００２０】
上記のターンテーブル３は、トラバースシャーシ２の前端部に取付けられたスピンドルモータＭの出力軸に固定され、トラバースシャーシ２が上方に回動したときに、このターンテーブル３とその真上のクランパー９との間に光ディスクの中央開口縁を挟んで光ディスクを回転させるようになっている。このクランパー９はメインシャーシ１に一体成形されたブリッジ部１ａの中央のクランパー保持部１ｂに回転自在に保持されている。
【００２１】
また、上記の光ピックアップ４は、そのラック４ａと噛み合うピニオン８により、ガイド軸５，５に沿って前後方向（ターンテーブル３に対して接近・離反する方向）に移動するように搭載されており、ターンテーブル３に接近しながらレーザービームを対物レンズ４ｂから光ディスクに照射して、記録・再生を行うようになっている。そして、この光ピックアップ４から後方へ延びるフレキシブルフラットケーブル６は、図２、図３に示すように、トラバースシャーシ２の裏側へ引き回されて、途中で該ケーブル６が直角に曲がるように折り畳まれ、該ケーブル６の折り畳み部分６ａとその近傍部分６ｂがトラバースシャーシ２の裏側の取付け面２０ａに取付けられている。尚、この取付け面２０ａについては、後で詳しく説明する。
【００２２】
トラバースシャーシ２の前端には、前方へ突き出す二つの凸部２ｃ，２ｄが形成されており、これらの凸部２ｃ，２ｄをそれぞれ挿入するカム溝１０ａを備えた合成樹脂製のカムスライダー１０が、メインシャーシ１の前枠部１ｃに左右スライド可能に取付けられている。そして、このカムスライダー１０の右端のラック１０ｂが駆動ピニオン１１と噛み合って、カムスライダー１０が左方向Ｌにスライドすると、トラバースシャーシ２の凸部２ｃ，２ｄがカム溝内を摺動しながら下降するため、トラバースシャーシ２は下方へ回動し、カムスライダー１０が右方向Ｒへスライドすると、トラバースシャーシ２が上方へ回動するようになっている。
【００２３】
また、光ディスクを載せて挿入・排出されるディスクトレイ（不図示）は、トラバースシャーシ２とメインシャーシ１のブリッジ部１ａとの間に配置されて、メインシャーシ１の内側に前後方向にスライド可能に取付けられており、このディスクトレイ裏面のラックにピニオンが噛み合って回転すると、ディスクトレイが挿入・排出されるようになっている。
【００２４】
上記の光ディスク装置は、光ディスクをディスクトレイに載せて挿入した図１のディスククローズの状態では、トラバースシャーシ２が上昇し、光ディスクがターンテーブル３とクランパー９に挟まれて回転する共に、光ピックアップ４がガイド軸５，５に沿ってターンテーブル３の方へ移動しながら、レーザービームを光ディスクに照射し、記録・再生が行われる。そして、光ディスクへの記録・再生が終わると、カムスライダー１０のラック１０ｂが駆動ピニオン１１と噛み合って、カムスライダー１０が左方向Ｌへスライドし、トラバースシャーシ２が下方へ回動してターンテーブル３とクランパー９による光ディスクのチャックが解除され、光ディスクがディスクトレイに載置されて排出される。
【００２５】
上記の光ディスク装置の大きい特徴は、光ピックアップ４のフレキシブルフラットケーブル６の折り畳み部分６ａとその近傍部分６ｂを取付けるトラバースシャーシ２の裏側の取付け面２０ａにある。
【００２６】
即ち、この取付け面２０ａは、図３、図４の（ａ）（ｂ）に示すように、後端から前方に向かって徐々に肉盛りすることによって、後端から前方に向かって徐々に低くなる傾斜面に形成されており、この取付け面２０ａの勾配は１／１０以上、２／１０以下に設定されている。尚、図４の（ａ）（ｂ）では、取付け面２０ａが後端から前方に向かって徐々に高くなる傾斜面のように見えるが、図４の（ａ）（ｂ）は裏返したトラバースシャーシ２の部分斜視図とそのＢ−Ｂ線断面図であるから、取付け面２０ａは後端から前方へ向かって徐々に低くなるように傾斜しているのである。
【００２７】
そして、フレキシブルフラットケーブル６の折り畳み部分６ａとその近傍部分６ｂがトラバースシャーシ裏側の上記取付け面２０ａに重ねられ、近傍部分６ｂのみが取付け面２０ａに接着剤や両面粘着テープ（不図示）で貼着されている。この近傍部分６ｂが貼着される取付け面２０ａの領域２ｃは、図４の（ａ）に斜線で示すように鉤形になっている。尚、２ｂはフレキシブルフラットケーブル６の折り畳み部分６ａを位置決めする位置決め堤部である。
【００２８】
上記のように、トラバースシャーシ２の裏側の取付け面２０ａが後端から前方に向かって徐々に低くなる傾斜面に形成されていると、図３に仮想線で示すように、光ピックアップ４が前方へ移動したときに、フレキシブルフラットケーブル６の折り畳み部分６ａの直前部分６ｃの曲率が、傾斜した取付け面２０ａの勾配に応じて小さくなり、直前部分６ａが鋭く曲がらなくなるので、直前部分６ａへの曲げ応力の集中が緩和されることになる。従って、光ピックアップ４の前後移動に伴ってフレキシブルフラットケーブル６の直前部分６ａに大きい曲げ応力が繰り返し集中することはなくなるので、フレキシブルフラットケーブル６が折り畳み部分６ｂの直前部分６ｃで断線する恐れを解消することができる。
【００２９】
トラバースシャーシ２裏側の取付け面２０ａは、前方から後端に向かって徐々に肉を削ることによって傾斜面に形成してもよいが、その場合は、既述したように、取付け面２０ａの後端の高さが上昇する分だけ、取付け面２０ａの後端と光ピックアップ４のフレキシブルフラットケーブル接続部分（コネクタ部分）との上下間隔が小さくなり、フレキシブルフラットケーブル６の撓み量が増して、貼着されたフレキシブルフラットケーブル６の近傍部分６ｂにかかる負荷が増大することになるので、上記のように肉盛りして傾斜面を形成することが好ましい。
【００３０】
また、取付け面２０ａの勾配が上記のように１／１０以上、２／１０以下であると、フレキシブルフラットケーブル６の折り畳み部分６ａの直前部分６ｃの曲率が適度な大きさとなって、曲げ応力の集中を緩和できるが、勾配が１／１０未満の場合は、直前部分６ｃの曲率が従来の場合とあまり変わらないので断線防止効果が不十分となり、逆に、勾配が２／１０を越える場合は、光ピックアップ４が後方へ移動したときに、フレキシブルフラットケーブル６の折り畳み部分６ａの直前部分６ｃが逆「く」字状に屈曲しやすくなるので、やはり断線防止効果が不十分となる。
【００３１】
トラバースシャーシ２の裏側の取付け面２０ａには、フレキシブルフラットケーブル６の折り畳み部分６ａと近傍部分６ｂの双方を貼着してもよいが、上記のように近傍部分６ｂだけ貼着すると、貼着されない折り畳み部分６ａの自由度が大きく、この折り畳み部分６ａでフレキシブルフラットケーブル６の前方への突っ張りを吸収して、貼着された近傍部分６ｂへの負荷を軽減できる利点がある。特に、この近傍部分６ｂの貼着領域２ｃが鉤形の領域であると、近傍部分６ｂもある程度の自由度を有するため、負荷を一層軽減できる利点がある。尚、取付け面２０ａに位置決め堤部２ｂが形成されていると、フレキシブルフラットケーブル６の折り畳み部分６ａを位置決め堤部２ｂに沿わせて、簡単且つ正確に位置決めして取付けることができる。
【図面の簡単な説明】
【００３２】
【図１】本発明の一実施形態に係る光ディスク装置をディスクトレイを省略して示す平面図である。
【図２】同光ディスク装置の概略底面図である。
【図３】同光ディスク装置の光ピックアップとターンテーブルを搭載したトラバースシャーシの概略断面図である。
【図４】（ａ）は裏返したトラバースシャーシのフレキシブルフラットケーブル取付け部分の斜視図、（ｂ）はそのＢ−Ｂ線部分断面図である。
【図５】従来の光ディスク装置の概略部分底面図である。
【図６】従来のターンテーブルと光ピックアップを搭載したトラバースシャーシの概略断面図である。
【図７】（ａ）は裏返した従来のトラバースシャーシのフレキシブルフラットケーブル取付け部分の斜視図、（ｂ）はそのＡ−Ａ線部分断面図である。
【符号の説明】
【００３３】
１    メインシャーシ
２    トラバースシャーシ
２ａ  水平な取付け面
２０ａ  傾斜面に形成された取付け面
３    回転テーブル
４    光ピックアップ
６    光ピックアップのフレキシブルフラットケーブル
６ａ  折り畳み部分
６ｂ  近傍部分
６ｃ  直前部分
【図１】
2009080907.tif 000003
【図２】
2009080907.tif 000004
【図３】
2009080907.tif 000005
【図４】
2009080907.tif 000006
【図５】
2009080907.tif 000007
【図６】
2009080907.tif 000008
【図７】
2009080907.tif 000009